(57)【要約】本発明は、ゆっくりと放出される天然物質を浸透させた美容術用およびアンチエイジングのストッキングあるいはパンティストッキング、あるいは肌と直接接触するあらゆる織物のサポーターと、その製造方法を対象とする。バイオミメティックスのリン脂質成分の化合物は、次の通りである：Ａ）浴の０．５％のリン脂質ＧＬＡ（ボラージアミドプロピルＰＧジモニウムクロリドリン酸ナトリウム）、Ｂ）浴の１．５％のリン脂質ＰＴＣ（コカミドプロピルＰＧジモニウムクロリドリン酸）。このリン脂質成分の化合物は、静電プロセスによって有効成分の「定着」あるいは浸透を促進させることを第一の働きとし、また細菌叢を制御する抗菌剤であることを第二の働きとする。これらの二つのリン脂質成分に、有効成分を含む天然物質が、最大合計２．１０％で添加される。柔軟化および浸透の段階は、３５℃と３７℃の間に含まれる温度で約３５分継続する。
2004538381.tif 000002
【特許請求の範囲】
【請求項１】
ゆっくりと放出される天然物質を浸透させることを特徴とする、美容術用およびアンチエイジングのストッキングあるいはパンティストッキング、あるいは肌と直接接触するあらゆる織物のサポーター。
【請求項２】
天然物質あるいは有効成分が、藻類およびアヤメ科植物のエキスの中に含まれており、アヤメ科植物のエキスが、亜鉛およびビタミンＡをもたらし、補酵素としての亜鉛が酵素反応に関わりを持ち、該酵素反応は細胞の成長の間、および、癒合のプロセスを促進することで傷ついた組織を再生させる間に機能し、藻類およびアヤメ科植物のエキスが、抗フリーラジカル作用をもつように相乗作用で作用することを特徴とする、請求項１に記載の美容術用およびアンチエイジングのストッキングあるいはパンティストッキング、あるいは肌と直接接触するあらゆる織物のサポーター。
【請求項３】
藻類のエキスがウルバラクツカから抽出されることを特徴とする、請求項２に記載の美容術用およびアンチエイジングのストッキングあるいはパンティストッキング、あるいは肌と直接接触するあらゆる織物のサポーター。
【請求項４】
アヤメ科植物の中でジャーマンアイリスが特に好ましく、該ジャーマンアイリスは、抗酸化作用の高いポリフェノール、フラボノイド、およびアントシアンに富み、したがって強い抗酸化作用を伴うことを特徴とする、請求項２に記載の美容術用およびアンチエイジングのストッキングあるいはパンティストッキング、あるいは肌と直接接触するあらゆる織物のサポーター。
【請求項５】
請求項１に記載のストッキングあるいはパンティストッキング、あるいは肌と直接接触するあらゆる織物のサポーターに、ゆっくりと放出される天然物質を浸透させることを可能にする製造方法であって、以下のことを特徴とする。
該製造方法が、染色の段階の後、柔軟化のプロセスの時に、従来の柔軟化用の浴に、バイオミメティックスのリン脂質の化合物を混ぜることで作用すること。
バイオミメティックスのリン脂質成分の化合物が、
Ａ）浴の０．５％のリン脂質ＧＬＡ（ボラージアミドプロピルＰＧジモニウムクロリドリン酸ナトリウム）、
Ｂ）浴の１．５％のリン脂質ＰＴＣ（コカミドプロピルＰＧジモニウムクロリドリン酸）であること。
このリン脂質成分の化合物が、静電プロセスによって有効成分の「定着」あるいは浸透を促進させることを第一の働きとし、また細菌叢を制御する抗菌剤であることを第二の働きとすること。
これらの二つのリン脂質成分に、有効成分を含む天然物質が、最大合計２．１０％で添加され、柔軟化および浸透の段階が、３５℃と３７℃の間に含まれる温度で約３５分継続すること。
【請求項６】
柔軟化溶液の割合が、リン脂質成分、活性剤を含めて、１０対１の割合でなければならない、すなわち、１０ｋｇの溶液に対して、１ｋｇのパンティストッキングあるいは肌と直接接触するあらゆる織物のサポーターが浴の中を循環することになることを特徴とする、請求項５に記載の製造方法。
【請求項７】
有効成分あるいは天然物質が、
ａ）０．７％から最大１．００％の海藻、
ｂ）０．３％から最大０．５％のウルバラクツカ、
ｃ）０．３％から最大０．５％のジャーマンアイリス、
ｄ）０．１％の香りのエッセンス、
最大合計で２．１％であることを特徴とする、請求項５に記載の製造方法。
【請求項８】
有効成分が、
ｅ）０．２５％から最大０．３５％のチョウセンニンジン、
ｆ）０．２５％から最大０．３５％のイチョウ、
ｇ）０．２５％から最大０．３５％のチドメグサ属、
ｈ）０．２５％から最大０．３５％の緑茶、
ｉ）０．５０％から最大０．７０％のアロエ（アロエベラ）、
最大合計で２．１０％であることを特徴とする、請求項５に記載の製造方法。
【請求項９】
太陽フィルターを、柔軟化浴および活性剤に、所望の紫外線保護の程度に応じた量で混ぜてよいことを特徴とする、請求項５に記載の製造方法。
【発明の詳細な説明】
【技術分野】
【０００１】
本発明は、ゆっくりと放出される天然物質を浸透させた美容術用およびアンチエイジングのストッキングあるいはパンティストッキング、あるいは肌と直接接触するあらゆる織物のサポーターと、その製造方法を対象とする。
【発明の開示】
【課題を解決するための手段】
【０００２】
本発明によると、天然物質あるいは有効成分は、一つの実施態様によると、藻類およびアヤメ科植物のエキスの中に含まれている。
【０００３】
藻類のエキスには、肌の組織に酸素を与え、肌の弾力性を増す働きがある。
【０００４】
アヤメ科植物のエキスは、亜鉛およびビタミンＡをもたらす。補酵素としての亜鉛は酵素反応に関わりを持ち、該酵素反応は、細胞の成長の間、および、癒合のプロセスを促進することで傷ついた組織を再生させる間に機能する。
【０００５】
ビタミンＡは、細胞の成長に不可欠な薬剤の一つであって、細胞の増殖を誘導する。
【０００６】
藻類およびアヤメ科植物のエキスは、抗フリーラジカル作用をもつように相乗作用で作用する。
【０００７】
藻類のエキスは、ウルバラクツカから抽出される。この藻類のエキスは、肌の弾力のある特性を保護し、強化する。
【０００８】
本発明はまた、ストッキングあるいはパンティストッキング、あるいは肌と直接接触するあらゆる織物のサポーターに、ゆっくりと放出される天然物質を浸透させることを可能にする製造方法も対象とする。
【０００９】
本製造方法は、染色の段階の後、柔軟化のプロセスの時に、従来の柔軟化用の浴に、バイオミメティックスのリン脂質の化合物を混ぜることで作用することからなる。
【００１０】
バイオミメティックスのリン脂質成分の化合物は、
Ａ）浴の０．５％のリン脂質ＧＬＡ（ボラージアミドプロピルＰＧジモニウムクロリドリン酸ナトリウム）、
Ｂ）浴の１．５％のリン脂質ＰＴＣ（コカミドプロピルＰＧジモニウムクロリドリン酸）である。
【００１１】
このリン脂質成分の化合物は、静電プロセスによって有効成分の「定着」あるいは浸透を促進することを第一の働きとし、また細菌叢を制御する抗菌剤であることを第二の働きとする。
【００１２】
これらの二つのリン脂質成分に、有効成分を含む天然物質が、最大合計２．１０％で添加される。柔軟化および浸透の段階は、３５℃と３７℃の間に含まれる温度で約３５分継続する。
【００１３】
柔軟化溶液の割合は、リン脂質成分、活性剤を含めて、１０対１の割合でなければならない、すなわち、１０ｋｇの溶液に対して、１ｋｇのパンティストッキングが浴の中を循環することになる。
【００１４】
好ましい実施態様によると、有効成分あるいは天然物質は、
Ａ）０．７％から最大１．００％の海藻、
Ｂ）０．３％から最大０．５％のウルバラクツカ、
Ｃ）０．３％から最大０．５％のジャーマンアイリス、
Ｄ）０．１％の香りのエッセンス、
最大合計で２．１％である。
【００１５】
他の実施態様によると、有効成分は、
Ａ）０．２５％から最大０．３５％のチョウセンニンジン、
Ｂ）０．２５％から最大０．３５％のイチョウ、
Ｃ）０．２５％から最大０．３５％のチドメグサ属、
Ｄ）０．２５％から最大０．３５％の緑茶、
Ｅ）０．５０％から最大０．７０％のアロエ（アロエベラ）、
最大合計で２．１０％である。
［発明の概括的な説明］
【００１６】
海藻およびフロラのエキスの特性、および、新世代のパンティストッキングあるいは肌と直接接触するあらゆる織物のサポーターへのそれらの影響。
【００１７】
本発明は、パンティストッキングあるいは肌と直接接触するあらゆる織物のサポーターの特性にかかわるものであり、通常の利用の際に肌に接触して放出される、藻類およびアヤメ科植物のエキスの中に含まれる物質を利用することを可能にする。
【００１８】
これらのストッキングおよびパンティストッキング、あるいは肌と直接接触するあらゆる織物のサポーターは、藻類およびアヤメ科植物のエキスの中に含まれる物質によって得られる特性である、気持ちを和らげ、うっ血を除去し、潤いを与え、そしてとりわけ老化防止タイプの美容用の利点を提供する。それらはまた、相乗作用で、単独のあるいは他の成分と結びついたこれらの物質の効能、またそれらの製造方法に有効な物質の効能も享受する。
【００１９】
藻類は、葉緑素をもつ葉状植物のグループ、すなわち、隠花植物または花のない植物の大きな科に属しており、一般的に色に関連して、緑色の藻類（緑藻類）、褐色の藻類（褐藻類）、紅色の藻類（紅藻類）、および藍色の藻類（ラン藻類）に分類される。
【００２０】
該藻類は、ビタミン、無機塩に富み、抗酸化性で、汚染物質の除去を継続的に行い、促進することを可能にするものであり、それらがヨウ素を含有しているおかげで代謝を活発にする。該藻類は、身体全体の外観を改善することに貢献する。
【００２１】
藻類は、産業界および農業界において、多くの形で利用されている。さらに、それらは、栄養失調に起因したおよび／あるいは代謝のアンバランスに結びついた特定の疾患の治療において、栄養の役割を果たしている。ヨウ素が多く含まれていることから、特定の褐藻類（コンブ属およびヒバマタ属）は、甲状腺種の治療およびバセドー病において１７世紀に既に利用されていた。
【００２２】
これらの様々な生理学の効果によって、
−ヨウ素の代謝の障害、
−器質的な欠陥、
−ビタミンあるいはオリゴ成分の不足、
−くる病、肥満症、
−リウマチ性体質、動脈硬化の体質、
−様々な伝染病、
−腸管の寄生虫症、
−尿道の特定の障害、
−胃炎、大腸炎、
−循環器系障害、
のような病気および症候群における藻類の処方が説明される。
【００２３】
栄養の特性のほかに、藻類は美容用のケアにおいてもまた、特に気持ちを和らげ、皮膚を軟らかくし、そして清めるというそれらの性質のために、利用が増大している。
【００２４】
以下、これらが非常に頻繁に利用される特定の藻類、および、それらに認められている機能である。
【００２５】
呼称：ウルバラクツカ、または海のレタス、
産地：地中海、
主な成分および適応：ビタミンＡ、肌の保護のためおよびアクネの治療用。
【００２６】
呼称：ヒバマタ、または海のコナラ、
産地：大西洋沿岸、
主な成分および適応：ミネラル、とりわけヨウ素（代謝を刺激）、アルギン酸塩（外用のモイスチャライザー）、プロテイン、ベータカロチン、グループＥのビタミン（アンチエイジング）で、痩せるためのダイエット用、フレグモーネの美的ではない影響に抗するため、皮膚の老化に対するクリーム状およびパック状。
【００２７】
呼称：ケルプ、
産地：ノルウェー、
主な成分および適応：カルシウム、カリウム、ビタミン、ミネラル、および粘滑剤であって、局所用のモイスチャライザーとして、また痩せるためのダイエットにおけるもの。
【００２８】
呼称：コンブ目、またはコンブ、
産地：日本、
主な成分および適応：ミネラル、ヨウ素、鉄、カルシウム、およびマグネシウムであって、解毒作用があり、皮膚の不純物の減少および肌の老化の減速を伴う。
【００２９】
呼称：ワカメ、
産地：日本、
主な成分および適応：マグネシウム、鉄、カルシウム、およびビタミンＡ，Ｂ，Ｃであって、肌および皮膚の付属器官である髪および爪の状態を最適化する。
【００３０】
呼称：アラメ、
産地：日本、
主な成分および適応：ヨウ素およびカルシウムであって、痩せるためのダイエットおよびフェイスケア用に適する。
【００３１】
呼称：ノリ、
産地：朝鮮、
主な成分および適応：プロテイン、ベータカロチン、およびヨウ素で、肌の弾力性および輝きを与える。
【００３２】
呼称：ダルス、
産地：北ヨーロッパ、
主な成分および適応：鉄およびヨウ素であって、痩せるためのダイエットにおいて有効である。
【００３３】
呼称：スピルリナ、
産地：中国、葉緑素およびビタミンのある淡水の鏡のような水面、
主な成分および適応：ヨウ素がなく、解毒作用、および有機体の浄化作用があり、肌に輝きを与え、痩せるためのダイエットに有効である。
【００３４】
呼称：クラマス、
産地：同名の湖、オレゴン州（アメリカ合衆国）、
主な成分および適応：アミノ酸およびプロテイン、酵素、葉緑素、ベータカロチン、無機塩、痩せるためのダイエット用、皮膚の老化を予防する。
【００３５】
呼称：デュナリエラ・サリナ、
産地：北アメリカ、オーストラリア、および死海、
主な成分および適応：皮膚の保護物、老化防止物としてのベータカロチンの高い濃度により、健康で若々しい外観の肌を保つことが可能になり、日焼けのケアの場合に保護する働きを伴う。
【００３６】
呼称：クロレラ、
産地：日本、
主な成分および適応：プロテイン、葉緑素、ミネラル、およびビタミンであって、細胞の除去および再生を促進し、痩せるためのダイエットにおいて、人体にバランスを取り戻させ、また場合によっては起こり得る特定の栄養失調を補うために有効である。
【００３７】
美容術での藻類の利用は実際、一定期間の間に活発になった。皮膚科学の特性は、一連の作用物質から生じており、該作用物質の中には、例えばプロビタミンＡおよびＤおよびビタミンＣである抗酸化ビタミン、水分を補給し、粘液状である特殊なバイオポリマー、生物学的に有効な様々な二次代謝物質がある。
【００３８】
藻類を含む現在利用されている美容製品は、クレンジングミルク、強壮剤、モイスチャークリーム、デオドラント、手用、顔用、および体用のクリーム、性器用クレンジング、シャンプー、並びに、入浴用の特殊な製品、フレグモーネ、線状皮膚萎縮、アクネの問題に抗するのに有効な調合薬を含み、そして皮膚の外観を改善するのに貢献する。
【００３９】
タラソテラピーでのフレグモーネに抗する治療は、様々なタイプの海藻と組み合わされた、典型的なオリゴ成分の豊富な海水を利用する。該治療は、特殊な美容用の調合薬を用いて行うことができ、また場合によっては、そのまま、またはエキスの形での海藻を主成分とする調合薬の局部塗布によって行われるが、それらは、泥、パック、および他のその場で調合される局所塗布のようなものである。
【００４０】
現在利用されている美容法の不都合は、塗布の時間および皮膚の表面との接触に関連しており、必然的に、日中の間に限定された時間に因るものである。
【００４１】
本発明はとりわけ、ストッキングあるいはパンティストッキング、あるいは肌と直接接触するあらゆる織物のサポーターのようなサポーターに、有効物質を浸透させるということに存する。
【００４２】
ストッキングおよびパンティストッキング、あるいは肌と直接接触するあらゆる織物のサポーターは、藻類およびアヤメ科植物を主成分とする我々の調合薬の美容効果を、一定期間に渡って引き延ばすのに理想的なサポーターである、というのも、それらは恒常的に肌と接触しており、有効物質の長く段階的な放出によって、それらの有益な特性を保証するからである。このことは、本産業分野における新機軸となる。
【００４３】
実際、様々なタイプの藻類およびアヤメ科植物の物質は、ストッキングあるいはパンティストッキング、あるいは肌と直接接触するあらゆる織物のサポーターの繊維の表面および内側に、吸収し、堆積するために利用される。
【００４４】
様々な種類の藻類により、特に興味深い塗布が可能になる。例えば：
【００４５】
褐藻類：ヒバマタ、エゾイシゲ、アスコフィルム、ヒマンタリア、ラミナリア、ホンダワラ種。
【００４６】
紅藻類：ツノマタ、イボノリあるいはスギノリ、ダルス、アマノリ、イギス、およびオゴノリ。
【００４７】
緑藻類：ウルバ、アオノリ、およびミル。
【００４８】
次の種々の藻類も挙げられる：アスコフィルム・ノドサム、ペルベチア・カナリクラータ、アオノリ、パルマリア・パルマータ、タマハハキモク、セラミウム・ルブラム、グラシラリア・ウェルコサ、ウルバラクツカ、ラミナリア・デジタータ、ミル。
【００４９】
全ての藻類が、抗フリーラジカルおよび老化防止の重要な作用を有している。特に、褐藻類、中でもヒバマタである。
【００５０】
好ましい実施態様によると、選ばれる藻類はウルバラクツカであって、これはキャベツと同じ量のビタミンＡおよびオレンジと同じ量のビタミンＣ、またさらにグループＢのビタミンの広いスペクトルを含む。ヨウ素、臭素、Ｃａ，Ｍｇ，およびＫ、Ｍｎといった無機塩およびオリゴ成分の多い含有物が再び見出されるが、該含有物によってそれらの抗アレルギー効果のいくつかの説明がつく。
【００５１】
ウルバラクツカは、さらに、アミノ酸（プロリン、グリシン、リジン）が豊富であり、これらは皮膚の弾力性の維持において重要な役割を果たすものである。
【００５２】
ウルバラクツカの組成の完全なスペクトルが、表１に記述されている。
【００５３】
【表１】
2004538381.tif 000003
【００５４】
この発明の枠組みで利用される藻類のエキスは、超臨界流体の利用も含め、液相での抽出という慣習的な方法によって準備される。
【００５５】
水を含んだ手段による抽出については、それは特殊な緩衝液によって制御されるｐＨで行われる。抽出は複数の極性溶媒の利用によっても行われるが、該複数の溶媒は合わせて、あるいは、水を含んだ手段と組み合わせて利用される。
【００５６】
製造の最終段階は、エキスの脱水にあり、これは真空下での濃縮によって、あるいは逆浸透法によって、あるいはまたクロマトグラフィーあるいは限外濾過による濃縮および精製によって行われる。特徴的な場合において、藻類のエキスから分離される特定の物質は、化学合成によって得られるが、該物質は例えば、フコーリ、ポリフコーリ、ジフロレトーリ、ポリフロレトーリ、ビフアローリ、ポリフアローリ、およびフロレトーリであって、これらは、優れた抗フリーラジカル作用を有する。したがって、この説明において、「藻類のエキス」という用語は、概して、これらのエキスから分離される物質あるいは化学合成によって得られる物質を記述するために使用される。
【００５７】
利用される藻類のエキスは、ストッキングおよびパンティストッキング、あるいは肌と直接接触するあらゆる織物のサポーターに美容の作用を付与するために、アヤメ科植物のエキスと組み合わされている。
【００５８】
アヤメ科植物の中で、ジャーマンアイリスが特に好ましく、該ジャーマンアイリスは、抗酸化作用の高いポリフェノール、フラボノイド、およびアントシアンに富み、したがって強い抗酸化作用を伴う。本発明の対象である、製品の老化防止の特性を発揮させる目的において、藻類のエキスに含まれる物質は、一つあるいは複数の酸化防止剤と組み合わされている。
【００５９】
われわれの目的に適合した酸化防止剤は、非網羅的な仕方で、種子、葉、花、そして果実および植物の皮の中に含まれる酸化防止剤を含み、また、天然の土地あるいは人工産の相当するものからの採掘に由来するものであってよい。
【００６０】
代表的な酸化防止剤は、特定のアミノ酸（例：ヒスチジンおよびバリン）、フラボノイド（例：アルマデンドリン、モリン、クエルシトリン、ヘスペレチン、ナリンゲニン、ケンフェロール、アピゲニン、ルテオリン、フィセチン、フスチン、ルチン、ミリセチン）、アントシアン（例：ペラルゴニジン、シアニジン、デルフィニジン）、カテキン（例：カテキン、エピカテキン，ガロカテキン，プロアントシアノシド）、カロチノイドおよびレチノイド（カロチンの異性体、リコピン、キサンチン、レチノール、カタキサンチン、トコフェロール（例：アルファ−トコフェロール、ベータ−トコフェロールおよびガンマ−トコフェロール）、タンニン（例：没食子酸、没食子酸プロピルおよび没食子酸エステル、タンニン酸）、リン脂質（例：卵および大豆のレシチン）、Ｌ−アスコルビン酸およびエステル、アルファ−ヒドロキシ酸（例：乳酸、クエン酸、Ｌ−酒石酸）、モナスカスの紅いポリケチド、落花生および米の物質（例：カルダノール、カルドール、アナカルド酸、オリザノール、カシューナッツ油）、チオジプロピオン酸およびラウリンエステル（ＤＬＴＢＰ）、アルファ−リポ酸、ノルジヒドログアヤレト酸（ＮＤＧＡ）、グアヤコール、ヒドロキシチロソール、およびオリーブオイルエステル（例：オレウロピン、ベルバスコシド）、香辛料およびハーブの他のフェノール（例：マンネンロウ、クローブ、トウガラシ、シナモン、ショウガ、パプリカ（ＴＢＨＱ）、柑橘類の油、トリヒドロキシブチロフェノン（ＴＨＢＰ）、ＢＨＴ、およびＢＨＡ）、マクルリン、エトキシキン、エラグ酸、ムシジン、ボルジンであるが、また、それらの対応するグルコシド、エステルおよびエーテル、およびそれらの化合物もある。
【００６１】
特に好ましい酸化防止剤の中で、没食子酸およびそれらの誘導体、アスコルビン酸およびそれらの誘導体を、さらにまた、植物エキスの中に含まれる、あるいは精製された形のフラボノイドも挙げられる。
【００６２】
補助および／または相乗作用の働きのある他のタイプの有効成分は、さらに本発明において利用される。
【００６３】
これらのカテゴリーに限られないにも関わらず、一般的な例は、しわ防止剤および抗炎剤を含む。
【００６４】
抗炎剤の例の中には、カンゾウの誘導体、フラボノイド、アルファ−ビサボロール、マンネンロウ、アズレン、アシアチコシド、ルスコゲニン、エシン、ベツリン酸、およびそれらの誘導体が見られる。
【００６５】
しわ防止剤の例は、レチノール、トコフェノール、サリチル酸塩、およびそれらの誘導体である。
【００６６】
本発明の対象である、パンティストッキングあるいは肌と直接接触するあらゆる織物のサポーターの製造のために、これらの方法のうちの複数を利用することができる。
【００６７】
有効成分（相乗作用のある藻類および薬剤）を含む重合ゲルあるいは樹脂を用いた定着、マイクロカプセルの付着、浸透、例えば適切な界面活性剤を用いて行われる表面の沈殿あるいは吸収。
【００６８】
陽イオン界面活性剤、非イオン界面活性剤、陰イオン界面活性剤、両性界面活性剤、およびそれらの化合物も、有効に利用されている。
【００６９】
界面活性剤の中で、次が挙げられる：
【００７０】
非イオン界面活性剤：アルコールのアルコキシラートおよび脂肪酸あるいはソルビタン脂肪酸、ポリオキシプロピレンおよびポリオキシエチレン、アルキルポリグリコシド；陰イオン界面活性剤：脂肪酸石けん、ラウリル硫酸ナトリウムあるいはラリウルエーテル硫酸塩、アルキルベンゼンスルホナート、モノおよび／あるいはジアルキルリン酸塩、および同種物；
【００７１】
両性界面活性剤：ジアルキルアンミン酸化物、様々なタイプのベタイン、リン脂質、および天然セラミド。
【００７２】
界面活性剤の中では、陽イオンを帯びたグリセロ−ホスホコリン性の物質であるバイオミメティックスのリン脂質（Ｍｏｎａの製品、アメリカ合衆国）が好ましい。
【００７３】
さらに、本発明の対象である製品は、様々な種の微生物に対する抗繁殖作用をもつ物質を用いて処理されるが、これは例えば、ｐ−ヒドロキシ安息香酸の外のアルキル、イダントイン（ｉｄａｎｔｏｉｎｅ）、パラベン、イミダゾリジニルウレア、デヒドロ酢酸ナトリウム、ベンジルアルコール、および四元素からなるアンモニウムイオンの成分の範囲を用い、さらにヨウ素および水銀を含んだ成分のような無機あるいは混合の物質を用いる。
【００７４】
太陽フィルターを、柔軟化浴および活性剤、例えばＰＡＢＡ、ベンゾフェノンの誘導体、およびシナメートに、所望の紫外線保護の程度に応じた量で混ぜてもよい。
【００７５】
類型論の例、ストッキングおよびパンティストッキングおよび、ウルバラクツカのエキス、緑藻類のエキス、およびジャーマンアイリスのエキスを用いた組成。
【発明を実施するための最良の形態】
【００７６】
添付の図面は、例として与えられており、本発明を制限するものではない。該図面は、本発明の実施態様を示すのみであり、また発明を容易に理解できるようにするものである。
【００７７】
図１は、概略図であって、ストッキングあるいはパンティストッキングあるいは肌と直接接触するあらゆる織物のサポーターを定着させ、あるいは浸透させることを可能にする循環路を明らかにしている。
【００７８】
この図において、容器１は、リン脂質（リン脂質ＧＬＡ（ボラージアミドプロピルＰＧジモニウムクロリドリン酸ナトリウム）およびリン脂質ＰＴＣ（コカミドプロピルＰＧジモニウムクロリドリン酸））、有効成分、および柔軟化剤を全て受け入れ、配管２を通して、より大きい容器３につながっており、該容器は、ストッキングあるいはパンティストッキング、あるいは肌と直接接触するあらゆる織物のサポーター４を含む定着用および浸透用の容器である。格子５は、その上部において前記容器３を閉める。配管６は、容器３を容器１につなぐ。循環路はしたがって、連続する流れを伴う、閉鎖された循環路である。
【図面の簡単な説明】
【００７９】
【図１】ストッキングあるいはパンティストッキングあるいは肌と直接接触するあらゆる織物のサポーターを定着させ、あるいは浸透させることを可能にする循環路を明らかにしている概略図である。
【符号の説明】
【００８０】
１  容器
２  配管
３  定着用および浸透用の容器
４  ストッキングあるいはパンティストッキングあるいは肌と直接接触するあらゆる織物のサポーター
５  格子
６  配管
【国際公開パンフレット】
2004538381.tif 000004
2004538381.tif 000005
2004538381.tif 000006
2004538381.tif 000007
2004538381.tif 000008
2004538381.tif 000009
2004538381.tif 000010
2004538381.tif 000011
2004538381.tif 000012
2004538381.tif 000013
2004538381.tif 000014
2004538381.tif 000015
2004538381.tif 000016
2004538381.tif 000017
2004538381.tif 000018
2004538381.tif 000019
2004538381.tif 000020
2004538381.tif 000021
【手続補正書】
【提出日】平成15年9月11日(2003.9.11)
【手続補正１】
【補正対象書類名】特許請求の範囲
【補正対象項目名】全文
【補正方法】変更
【補正の内容】
【特許請求の範囲】
【請求項１】
美容術用およびアンチエイジングのストッキングあるいはパンティストッキング、あるいは肌と直接接触するあらゆる織物のサポーターに、ゆっくりと放出される天然物質を浸透させることを可能にする製造方法であって、以下のことを特徴とする。
該製造方法が、染色の段階の後、柔軟化のプロセスの時に、従来の柔軟化用の浴に、バイオミメティックスのリン脂質の化合物を混ぜることで作用すること。
バイオミメティックスのリン脂質成分の化合物が、
Ａ）浴の０．５％のリン脂質ＧＬＡ（ボラージアミドプロピルＰＧジモニウムクロリドリン酸ナトリウム）、
Ｂ）浴の１．５％のリン脂質ＰＴＣ（コカミドプロピルＰＧジモニウムクロリドリン酸）であること。
前記リン脂質成分の化合物が、静電プロセスによって有効成分の「定着」あるいは浸透を促進させることを第一の働きとし、また細菌叢を制御する抗菌剤であることを第二の働きとし、これらの二つのリン脂質成分に、有効成分を含む天然物質が、最大合計２．１０％で添加され、柔軟化および浸透の段階が、３５℃と３７℃の間に含まれる温度で約３５分継続し、天然物質あるいは有効成分が、藻類およびアヤメ科植物のエキスの中に含まれていること。
【請求項２】
柔軟化溶液の割合が、リン脂質成分、活性剤を含めて、１０対１の割合でなければならない、すなわち、１０ｋｇの溶液に対して、１ｋｇのパンティストッキングあるいは肌と直接接触するあらゆる織物のサポーターが浴の中を循環することになることを特徴とする、請求項１に記載の製造方法。
【請求項３】
有効成分あるいは天然物質が、
ａ）０．７％から最大１．００％の海藻、
ｂ）０．３％から最大０．５％のウルバラクツカ、
ｃ）０．３％から最大０．５％のニオイイリス、
ｄ）０．１％の香りのエッセンス、
最大合計で２．１％
であることを特徴とする、請求項１に記載の製造方法。
【請求項４】
有効成分が、
ｅ）０．２５％から最大０．３５％のチョウセンニンジン、
ｆ）０．２５％から最大０．３５％のイチョウ、
ｇ）０．２５％から最大０．３５％のチドメグサ属、
ｈ）０．２５％から最大０．３５％の緑茶、
ｉ）０．５０％から最大０．７０％のアロエ（アロエベラ）、
最大合計で２．１０％
であることを特徴とする、請求項１に記載の製造方法。
【請求項５】
太陽フィルターを、柔軟化浴および活性剤に、所望の紫外線保護の程度に応じた量で混ぜてよいことを特徴とする、請求項１に記載の製造方法。
【請求項６】
請求項１から請求項４のいずれか一つに記載の方法で得られることを特徴とする、ゆっくりと放出される天然物質を浸透させた、美容術用およびアンチエイジングのストッキングあるいはパンティストッキング、あるいは肌に直接接触するあらゆる織物のサポーター。
【請求項７】
藻類のエキスがウルバラクツカから抽出されることを特徴とする、請求項６に記載の美容術用およびアンチエイジングのストッキングあるいはパンティストッキング、あるいは肌と直接接触するあらゆる織物のサポーター。
【請求項８】
アヤメ科植物の中でジャーマンアイリスが特に好ましく、該ジャーマンアイリスは、抗酸化作用の高いポリフェノール、フラボノイド、およびアントシアンに富み、したがって強い抗酸化作用を伴うことを特徴とする、請求項６に記載の美容術用およびアンチエイジングのストッキングあるいはパンティストッキング、あるいは肌と直接接触するあらゆる織物のサポーター。
【国際調査報告】
2004538381.tif 000022
2004538381.tif 000023
2004538381.tif 000024
2004538381.tif 000025
2004538381.tif 000026
2004538381.tif 000027
2004538381.tif 000028
2004538381.tif 000029